【手続補正書】
【提出日】平成20年4月21日(2008.4.21)
【手続補正１】
【補正対象書類名】特許請求の範囲
【補正対象項目名】請求項１
【補正方法】変更
【補正の内容】
【請求項１】
１回のスキャン動作において、画像情報を電位に変換し所定のゲインをかけるゲイン手段と、
前記ゲイン手段によってゲインをかけられた前記画像情報をデジタル化してデジタル画像を生成するＡＤ変換手段と、
前記ＡＤ変換手段によって生成された前記デジタル画像に対して、白基準に基づく第１の係数によって前記デジタル画像よりも高精彩な画像を得るためのシェーディング補正を行い、当該補正された画像出力を生成する第１のシェーディング補正手段と、
前記ＡＤ変換手段によって生成された前記デジタル画像に対して、修正痕に基づく第２の係数によって白より高い輝度まで読み取った画像を得るためのシェーディング補正を行い、当該補正された画像出力を生成する第２のシェーディング補正手段と、
前記第１のシェーディング補正手段によって得られた画像出力に対して高精細な画像処理を行い、該画像処理によって得られる第１のデジタル画像情報を生成する画像処理手段と、
前記第２のシェーディング補正手段によって得られた画像出力から修正痕を検出し、該修正痕の検出情報である第２のデジタル画像情報を生成する修正検知手段と、
前記画像処理手段が生成した前記第１のデジタル画像情報と前記修正検知手段が生成した前記第２のデジタル画像情報とを合成し、前記第１のデジタル画像情報の中に前記第２のデジタル画像情報である修正痕の検出情報を埋め込んだ第３のデジタル画像情報を生成する合成手段と
を備えたことを特徴とする画像読取装置。
【手続補正２】
【補正対象書類名】特許請求の範囲
【補正対象項目名】請求項３
【補正方法】変更
【補正の内容】
【請求項３】
スキャン動作において、画像情報を電位に変換し所定のゲインをかけるゲイン手段と、
前記ゲイン手段によってゲインをかけられた前記画像情報をデジタル化してデジタル画像を生成するＡＤ変換手段と、
前記ＡＤ変換手段によって生成された前記デジタル画像に対して、白基準に基づく第１の係数によって前記デジタル画像よりも高精彩な画像を得るためのシェーディング補正を行い、当該補正された第１の画像出力を生成し、前記ＡＤ変換手段によって生成された前記デジタル画像に対して、修正痕に基づく第２の係数によって白より高い輝度まで読み取った画像を得るためのシェーディング補正を行い、当該補正された第２の画像出力を生成するシェーディング補正手段と、
前記シェーディング補正手段によって得られた前記第１の画像出力に対して高精細な画像処理を行い、該画像処理によって得られる第１のデジタル画像情報を生成する画像処理手段と、
前記シェーディング補正手段によって得られた前記第２の画像出力から修正痕を検出し、該修正痕の検出情報である第２のデジタル画像情報を生成する修正検知手段と、
前記画像処理手段が生成した前記第１のデジタル画像情報と前記修正検知手段が生成した前記第２のデジタル画像情報とを合成し、前記第１のデジタル画像情報の中に前記第２のデジタル画像情報である修正痕の検出情報を埋め込んだ第３のデジタル画像情報を生成する合成手段と
を備えたことを特徴とする画像読取装置。
【手続補正３】
【補正対象書類名】特許請求の範囲
【補正対象項目名】請求項６
【補正方法】変更
【補正の内容】
【請求項６】
１回のスキャン動作において、ゲイン手段が画像情報を電位に変換し所定のゲインをかけるゲインステップと、
前記ゲインステップにおいてゲインをかけられた前記画像情報をＡＤ変換手段がデジタル化してデジタル画像を生成するＡＤ変換ステップと、
前記ＡＤ変換ステップにおいて生成された前記デジタル画像に対して、第１のシェーディング補正手段が白基準に基づく第１の係数によって前記デジタル画像よりも高精彩な画像を得るためのシェーディング補正を行い、当該補正された画像出力を生成する第１のシェーディング補正ステップと、
前記ＡＤ変換ステップにおいて生成された前記デジタル画像に対して、第２のシェーディング補正手段が修正痕に基づく第２の係数によって白より高い輝度まで読み取った画像を得るためのシェーディング補正を行い、当該補正された画像出力を生成する第２のシェーディング補正ステップと、
前記第１のシェーディング補正ステップにおいて得られた画像出力に対して、画像処理手段が高精細な画像処理を行い、該画像処理によって得られる第１のデジタル画像情報を生成する画像処理ステップと、
前記第２のシェーディング補正ステップにおいて得られた画像出力から、修正検知手段が修正痕を検出し、該修正痕の検出情報である第２のデジタル画像情報を生成する修正検知ステップと、
前記画像処理ステップにおいて生成された前記第１のデジタル画像情報と前記修正検知ステップにおいて生成された前記第２のデジタル画像情報とを、合成手段が合成し、前記第１のデジタル画像情報の中に前記第２のデジタル画像情報である修正痕の検出情報を埋め込んだ第３のデジタル画像情報を生成する合成ステップと
を備えることを特徴とする画像読取方法。
【手続補正４】
【補正対象書類名】特許請求の範囲
【補正対象項目名】請求項８
【補正方法】変更
【補正の内容】
【請求項８】
１回目のスキャン動作において、ゲイン手段が画像情報を電位に変換し所定のゲインをかける第１のゲインステップと、
前記第１のゲインステップにおいてゲインをかけられた前記画像情報をＡＤ変換手段がデジタル化してデジタル画像を生成する第１のＡＤ変換ステップと、
前記第１のＡＤ変換ステップにおいて生成された前記デジタル画像に対して、シェーディング補正手段が白基準に基づく第１の係数によって前記デジタル画像よりも高精彩な画像を得るためのシェーディング補正を行い、当該補正された第１の画像出力を生成する第１のシェーディング補正ステップと、
前記第１のシェーディング補正ステップにおいて得られた前記第１の画像出力に対して、画像処理手段が高精細な画像処理を行い、該画像処理によって得られる第１のデジタル画像情報を生成する画像処理ステップと、
２回目のスキャン動作において、前記ゲイン手段が画像情報を電位に変換し所定のゲインをかける第２のゲインステップと、
前記第２のゲインステップにおいてゲインをかけられた前記画像情報を前記ＡＤ変換手段がデジタル化してデジタル画像を生成する第２のＡＤ変換ステップと、
前記第２のＡＤ変換ステップにおいて生成された前記デジタル画像に対して、前記シェーディング補正手段が修正痕に基づく第２の係数によって白より高い輝度まで読み取った画像を得るためのシェーディング補正を行い、当該補正された第２の画像出力を生成する第２のシェーディング補正ステップと
前記第２のシェーディング補正ステップにおいて得られた前記第２の画像出力から、修正検知手段が修正痕を検出し、該修正痕の検出情報である第２のデジタル画像情報を生成する修正検知ステップと、
前記画像処理ステップにおいて生成された前記第１のデジタル画像情報と前記修正検知ステップにおいて生成された前記第２のデジタル画像情報とを、合成手段が合成し、前記第１のデジタル画像情報の中に前記第２のデジタル画像情報である修正痕の検出情報を埋め込んだ第３のデジタル画像情報を生成する合成ステップと
を備えることを特徴とする画像読取方法。
【手続補正５】
【補正対象書類名】特許請求の範囲
【補正対象項目名】請求項１０
【補正方法】変更
【補正の内容】
【請求項１０】
修正痕の輝度に対応する領域を得るために設定された第２の補正係数を用いて、第１の画像データにシェーディング補正を行う第１のシェーディング補正手段と、
前記第１の画像データを前記第１のシェーディング補正手段によって補正し生成した第２の画像データに対して、第１の画像処理を行い修正痕の検知を行う修正痕検知手段と
を備えたことを特徴とする画像処理装置。
【手続補正６】
【補正対象書類名】特許請求の範囲
【補正対象項目名】請求項１１
【補正方法】変更
【補正の内容】
【請求項１１】
前記第１の画像処理は、２値化処理、孤立点除去、閉曲線検知、閉曲線領域の大きさを判定する処理のうちの少なくとも一つの処理であること
を特徴とする請求項１０に記載の画像処理装置。
【手続補正７】
【補正対象書類名】特許請求の範囲
【補正対象項目名】請求項１２
【補正方法】変更
【補正の内容】
【請求項１２】
白色の領域を得るために設定された第１の補正係数を用いて、前記第１の画像データにシェーディング補正を行う第２のシェーディング補正手段と、
前記第１の画像データを前記第２のシェーディング補正手段によって補正し生成した第3の画像データに対して第２の画像処理を行い、該第２の画像処理によって得られる第１のデジタル画像情報を生成する画像処理手段と
をさらに備えたことを特徴とする請求項１０に記載の画像処理装置。
【手続補正８】
【補正対象書類名】特許請求の範囲
【補正対象項目名】請求項１６
【補正方法】変更
【補正の内容】
【請求項１６】
修正痕の輝度に対応する領域を得るために設定された第２の補正係数を用いて、第１のシェーディング補正手段が第１の画像データにシェーディング補正を行う第１のシェーディング補正ステップと、
前記第１の画像データを前記第１のシェーディング補正ステップにおいて補正し生成した第２の画像データに対して、修正痕検知手段が第１の画像処理を行い修正痕の検知を行う修正痕検知ステップと
を備えることを特徴とする画像処理方法。
【手続補正９】
【補正対象書類名】明細書
【補正対象項目名】００１８
【補正方法】変更
【補正の内容】
【００１８】
このような目的を達成するために、本発明の画像読取装置は、１回のスキャン動作において、画像情報を電位に変換し所定のゲインをかけるゲイン手段（３０２、１２０２）と、前記ゲイン手段によってゲインをかけられた前記画像情報をデジタル化してデジタル画像を生成するＡＤ変換手段（３０３、１２０３）と、前記ＡＤ変換手段によって生成された前記デジタル画像に対して、白基準に基づく第１の係数によって前記デジタル画像よりも高精彩な画像を得るためのシェーディング補正を行い、当該補正された画像出力を生成する第１のシェーディング補正手段（３０４、１２０４）と、前記ＡＤ変換手段によって生成された前記デジタル画像に対して、修正痕に基づく第２の係数によって白より高い輝度まで読み取った画像を得るためのシェーディング補正を行い、当該補正された画像出力を生成する第２のシェーディング補正手段（３０５、１２０５）と、前記第１のシェーディング補正手段によって得られた画像出力に対して高精細な画像処理を行い、該画像処理によって得られる第１のデジタル画像情報を生成する画像処理手段（３０６、１２０６）と、前記第２のシェーディング補正手段によって得られた画像出力から修正痕を検出し、該修正痕の検出情報である第２のデジタル画像情報を生成する修正検知手段（３０７、１２０７）と、前記画像処理手段が生成した前記第１のデジタル画像情報と前記修正検知手段が生成した前記第２のデジタル画像情報とを合成し、前記第１のデジタル画像情報の中に前記第２のデジタル画像情報である修正痕の検出情報を埋め込んだ第３のデジタル画像情報を生成する合成手段（３０８、１２０８）とを備えたことを特徴とする（実施形態１、２）。
【手続補正１０】
【補正対象書類名】明細書
【補正対象項目名】００２０
【補正方法】変更
【補正の内容】
【００２０】
また上記目的を達成するために、本発明の画像読取装置は、スキャン動作において、画像情報を電位に変換し所定のゲインをかけるゲイン手段（１６０２）と、前記ゲイン手段によってゲインをかけられた前記画像情報をデジタル化してデジタル画像を生成するＡＤ変換手段（１６０３）と、前記ＡＤ変換手段によって生成された前記デジタル画像に対して、白基準に基づく第１の係数によって前記デジタル画像よりも高精彩な画像を得るためのシェーディング補正を行い、当該補正された第１の画像出力を生成し、前記ＡＤ変換手段によって生成された前記デジタル画像に対して、修正痕に基づく第２の係数によって白より高い輝度まで読み取った画像を得るためのシェーディング補正を行い、当該補正された第２の画像出力を生成するシェーディング補正手段（１６０４）と、前記シェーディング補正手段によって得られた前記第１の画像出力に対して高精細な画像処理を行い、該画像処理によって得られる第１のデジタル画像情報を生成する画像処理手段（１６０６）と、前記シェーディング補正手段によって得られた前記第２の画像出力から修正痕を検出し、該修正痕の検出情報である第２のデジタル画像情報を生成する修正検知手段（１６０７）と、前記画像処理手段が生成した前記第１のデジタル画像情報と前記修正検知手段が生成した前記第２のデジタル画像情報とを合成し、前記第１のデジタル画像情報の中に前記第２のデジタル画像情報である修正痕の検出情報を埋め込んだ第３のデジタル画像情報を生成する合成手段（１６０８）とを備えたことを特徴とする（実施形態３）。
【手続補正１１】
【補正対象書類名】明細書
【補正対象項目名】００２３
【補正方法】変更
【補正の内容】
【００２３】
また上記目的を達成するために、本発明の画像読取方法は、１回のスキャン動作において、ゲイン手段が画像情報を電位に変換し所定のゲインをかけるゲインステップ（Ｓ１８０５、Ｓ１９０５）と、前記ゲインステップにおいてゲインをかけられた前記画像情報をＡＤ変換手段がデジタル化してデジタル画像を生成するＡＤ変換ステップ（Ｓ１８０５、Ｓ１９０５）と、前記ＡＤ変換ステップにおいて生成された前記デジタル画像に対して、第１のシェーディング補正手段が白基準に基づく第１の係数によって前記デジタル画像よりも高精彩な画像を得るためのシェーディング補正を行い、当該補正された画像出力を生成する第１のシェーディング補正ステップ（Ｓ１８０６、Ｓ１９０６）と、前記ＡＤ変換ステップにおいて生成された前記デジタル画像に対して、第２のシェーディング補正手段が修正痕に基づく第２の係数によって白より高い輝度まで読み取った画像を得るためのシェーディング補正を行い、当該補正された画像出力を生成する第２のシェーディング補正ステップ（Ｓ１８０６、Ｓ１９０６）と前記第１のシェーディング補正ステップにおいて得られた画像出力に対して、画像処理手段が高精細な画像処理を行い、該画像処理によって得られる第１のデジタル画像情報を生成する画像処理ステップ（Ｓ１８０６、Ｓ１９０７）と、前記第２のシェーディング補正ステップにおいて得られた画像出力から、修正検知手段が修正痕を検出し、該修正痕の検出情報である第２のデジタル画像情報を生成する修正検知ステップ（Ｓ１８０６、Ｓ１９０７）と、前記画像処理ステップにおいて生成された前記第１のデジタル画像情報と前記修正検知ステップにおいて生成された前記第２のデジタル画像情報とを、合成手段が合成し、前記第１のデジタル画像情報の中に前記第２のデジタル画像情報である修正痕の検出情報を埋め込んだ第３のデジタル画像情報を生成する合成ステップ（Ｓ１８０７、Ｓ１９０８）とを備えることを特徴とする（実施形態１、２）。
【手続補正１２】
【補正対象書類名】明細書
【補正対象項目名】００２４
【補正方法】変更
【補正の内容】
【００２４】
また上記目的を達成するために、本発明の画像読取方法は、１回目のスキャン動作において、ゲイン手段が画像情報を電位に変換し所定のゲインをかける第１のゲインステップ（Ｓ２００５）と、前記第１のゲインステップにおいてゲインをかけられた前記画像情報をＡＤ変換手段がデジタル化してデジタル画像を生成する第１のＡＤ変換ステップ（Ｓ２００５）と、前記第１のＡＤ変換ステップにおいて生成された前記デジタル画像に対して、シェーディング補正手段が白基準に基づく第１の係数によって前記デジタル画像よりも高精彩な画像を得るためのシェーディング補正を行い、当該補正された第１の画像出力を生成する第１のシェーディング補正ステップ（Ｓ２００６）と、前記第１のシェーディング補正ステップにおいて得られた前記第１の画像出力に対して、画像処理手段が高精細な画像処理を行い、該画像処理によって得られる第１のデジタル画像情報を生成する画像処理ステップ（Ｓ２００７）と、２回目のスキャン動作において、前記ゲイン手段が画像情報を電位に変換し所定のゲインをかける第２のゲインステップ（Ｓ２００８）と、前記第２のゲインステップにおいてゲインをかけられた前記画像情報を前記ＡＤ変換手段がデジタル化してデジタル画像を生成する第２のＡＤ変換ステップ（Ｓ２００８）と、前記第２のＡＤ変換ステップにおいて生成された前記デジタル画像に対して、前記シェーディング補正手段が修正痕に基づく第２の係数によって白より高い輝度まで読み取った画像を得るためのシェーディング補正を行い、当該補正された第２の画像出力を生成する第２のシェーディング補正ステップ（Ｓ２００９）と、前記第２のシェーディング補正ステップにおいて得られた前記第２の画像出力から、修正検知手段が修正痕を検出し、該修正痕の検出情報である第２のデジタル画像情報を生成する修正検知ステップ（Ｓ２０１０）と、前記画像処理ステップにおいて生成された前記第１のデジタル画像情報と前記修正検知ステップにおいて生成された前記第２のデジタル画像情報とを、合成手段が合成し、前記第１のデジタル画像情報の中に前記第２のデジタル画像情報である修正痕の検出情報を埋め込んだ第３のデジタル画像情報を生成する合成ステップ（Ｓ２０１１）とを備えることを特徴とする（実施形態３）。
【手続補正１３】
【補正対象書類名】明細書
【補正対象項目名】００２６
【補正方法】変更
【補正の内容】
【００２６】
また上記目的を達成するために、本発明の画像処理装置は、修正痕の輝度に対応する領域を得るために設定された第２の補正係数を用いて、第１の画像データにシェーディング補正を行う第１のシェーディング補正手段と、前記第１の画像データを前記第１のシェーディング補正手段によって補正し生成した第２の画像データに対して、第１の画像処理を行い修正痕の検知を行う修正痕検知手段とを備えたことを特徴とする。
【手続補正１４】
【補正対象書類名】明細書
【補正対象項目名】００２９
【補正方法】変更
【補正の内容】
【００２９】
また上記目的を達成するために、本発明の画像処理方法は、修正痕の輝度に対応する領域を得るために設定された第２の補正係数を用いて、第１のシェーディング補正手段が第１の画像データにシェーディング補正を行う第１のシェーディング補正ステップと、前記第１の画像データを前記第１のシェーディング補正ステップにおいて補正し生成した第２の画像データに対して、修正痕検知手段が第１の画像処理を行い修正痕の検知を行う修正痕検知ステップと備えることを特徴とする。